(57)【要約】【課題】  従来の防水ケースでは、内部空間に熱がこもってしまう構造であったため、その内部空間に収納された撮像装置の内部温度が上昇して、その撮像装置に画質の劣化等の影響を与える心配があるという問題があった。【解決手段】  デジタルビデオカメラ１００が出し入れ可能に収納される装置本体収納部２ａを有するケース本体２と、装置本体収納部２ａの開口部６を開閉可能な蓋体３と、装置本体収納部２ａに設けられ且つデジタルビデオカメラ１００が着脱可能に取り付けられる台座６１と、デジタルビデオカメラ１００と台座６１との間に介在されてデジタルビデオカメラ１００の熱を台座に伝達する伝熱シート７５と、台座６１に伝達された熱をケース本体２から外部に放熱させる放熱手段と、を備えて構成した。【選択図】  図５
2007086676.tif 000002
【特許請求の範囲】
【請求項１】
撮像装置が出し入れ可能に収納される装置本体収納部を有するケース本体と、
前記装置本体収納部の開口部を開閉可能な蓋体と、
前記装置本体収納部に設けられ且つ前記撮像装置が着脱可能に取り付けられる台座と、
前記撮像装置と前記台座との間に介在されて前記撮像装置の熱を前記台座に伝達する伝熱部材と、
前記台座に伝達された熱を前記ケース本体から外部に放熱させる放熱手段と、
を備えてなることを特徴とする防水ケース。
【請求項２】
前記放熱手段は、供給された熱を遠赤外線に変換して放射する放熱シートであり、前記放熱シートを前記ケース本体と前記台座との間に介在させると共に、ケース本体の少なくとも前記放熱シートが接触する部分を、前記遠赤外線が透過し易い無色透明な材質としたことを特徴とする請求項１記載の防水ケース。
【請求項３】
前記放熱手段は、前記台座に伝達された熱を前記ケース本体の外部に放熱するヒートシンクであり、
前記ヒートシンクは、前記ケース本体の外部に取り付けられた放熱部と、前記台座の熱を前記放熱部に伝達するヒートパイプと、を有することを特徴とする請求項１記載の防水ケース。
【請求項４】
前記放熱手段は、前記ケース本体の外部に設けられた熱伝導率の高い材質からなる放熱部材と、前記台座の熱を前記放熱部材に伝達する熱伝導率の高い材質からなる伝熱部材と、を有することを特徴とする請求項１記載の防水ケース。
【請求項５】
前記放熱部材は、前記撮像装置の撮影レンズが臨む前記ケース本体の撮像窓に装着されるカバーガラスを保持するフロントリングであり、前記伝熱部材は、前記台座と前記フロントリングとにそれぞれ接触される連結プレートであること特徴とする請求項４記載の防水ケース。
【発明の詳細な説明】
【技術分野】
【０００１】
本発明は、デジタルビデオカメラやデジタルスチルカメラ等の撮像装置を収納して使用する防水ケースに関し、特に撮像装置の動作により発生した熱をケース本体の外部に導いて放熱する防水ケースに関するものである。
【背景技術】
【０００２】
従来の、この種の防水ケースとしては、例えば、特許文献１に記載されているようなものがある。特許文献１には、ビデオカメラを収納する防水ケースにおけるカメラ取付構造に関するものが記載されている。この特許文献１に記載されたカメラの防水ケースにおけるカメラ取付構造は、「一対のハーフキャビネットを水密状に嵌合して成るカメラの防水ケースと、弾性係合部材が備えられ、カメラ本体に三脚取付ネジ部を利用して着脱可能に取付られる台座と、上記防水ケースの一方のハーフキャビネットに設けられ、上記台座が挿入係合されると共に上記台座の挿入状態で上記弾性係合部材が係止される係合ガイド部とから成る」ことを特徴としている。
【０００３】
このような構成を有する特許文献１に記載のカメラの防水ケースにおけるカメラ取付構造によれば、「カメラの防水ケースに対する着脱がいわゆるワンタッチ操作により簡単に行えると共にカメラは防水ケース内に確実に固定されて、防水ケースの外部からの強い押圧操作によってもがた付くことなく安定した状態で良好に撮影でき、しかも構成が簡単で安価に提供できる」等の効果が期待される。
【特許文献１】特開平４−５２６３０号公報
【０００４】
しかしながら、上述したような特許文献１に記載された防水ケースにおいては、左右のハーフキャビネットによってカメラ本体を収納するための空間を形成し、その接合部を液密に接触させて内部空間を水密状態及び気密状態にする構成となっていた。そのような防水ケースにビデオカメラやデジタルカメラ等を収納して使用すると、撮影動作によって撮像素子（ＣＣＤ等）や電子回路等に発熱が生じ、その熱が防水ケースの内部空間にこもってしまうことになる。その結果、ビデオカメラ等の内部温度が上昇し、その温度上昇がビデオカメラ等の性能や機能等に影響を与えることになり、画質の劣化等を生じるという問題があった。
【発明の開示】
【発明が解決しようとする課題】
【０００５】
解決しようとする問題点は、従来の防水ケースでは、収納した撮像装置の動作時における発熱によって防水ケースの内部空間に熱がこもってしまうため、撮像装置の内部温度が上昇して、その撮像装置の性能や機能等に影響を与えることになり、画質の劣化等を生じることがある、という点である。
【課題を解決するための手段】
【０００６】
本発明の防水ケースは、撮像装置が出し入れ可能に収納される装置本体収納部を有するケース本体と、装置本体収納部の開口部を開閉可能な蓋体と、装置本体収納部に設けられ且つ撮像装置が着脱可能に取り付けられる台座と、撮像装置と台座との間に介在されて撮像装置の熱を台座に伝達する伝熱部材と、台座に伝達された熱をケース本体から外部に放熱させる放熱手段と、を備えてなることを最も主要な特徴とする。
【発明の効果】
【０００７】
本発明の防水ケースによれば、内部に収納された撮像装置の動作により発生した熱を伝熱部材により台座に伝え、その台座に伝えられた熱を放熱手段によってケース本体の外部に放熱する構成としたため、収納した撮像装置自体の温度上昇を防止又は抑制することができ、撮像装置が熱による影響を受けるのを防止又は抑制することができる。その結果、収納した撮像装置の機能、性能等を充分に発揮させて使用することのできる防水ケースを提供することができる。
【発明を実施するための最良の形態】
【０００８】
ケース本体の内部に収納した撮像装置の発熱をケース本体の外部へ放熱して、撮像装置自体の温度上昇を防止し、その撮像装置が熱による影響を受ける心配のない防水ケースを、簡単な構成によって実現した。
【０００９】
以下、本発明の実施の形態を、添付図面を参照して説明する。図１〜図１０は、本発明の実施の形態の例を説明するものである。即ち、図１は本発明の防水ケースの第１の実施の例を正面側から見た斜視図、図２は背面側から見た斜視図、図３は蓋体を開いて背面側から見た斜視図、図４は鏡扉を開いて背面側から見た斜視図、図５は縦に断面して示す説明図、図６は同じく熱の移動を示す説明図である。図７は、本発明の防水ケースの第２の実施の例を縦に断面して示す説明図、図８は同じく熱の移動を示す説明図、図９は、本発明の防水ケースの第３の実施の例を縦に断面して示す説明図、図１０は同じく熱の移動を示す説明図である。
【００１０】
図１〜図６は、本発明の防水ケースの第１の実施の例を示すものであり、この防水ケース１は、撮像装置の一具体例を示すデジタルビデオカメラ１００を収納して使用することができるものである。ここで先ず、防水ケース１に収納されるデジタルビデオカメラ１００ついて簡単に説明する。
【００１１】
図５等に示すデジタルビデオカメラ１００は、情報記録媒体としてテープ状記録媒体を用いたデジタルビデオカセット（以下「ＤＶカセット」という。）を使用し、光学的な画像を撮像素子（ＣＣＤ等）で電気的な信号に変換してテープ状記録媒体に記録したり液晶ディスプレイ等の表示装置に表示できるようにしたものである。しかしながら、記録媒体としてはテープ状記録媒体に限定されるものではなく、光ディスク、光磁気ディスク等のディスク状記録媒体や、半導体メモリ等の半導体記録媒体、その他の記録媒体を用いることができることは勿論である。
【００１２】
このデジタルビデオカメラ１００は、略四角形の筐体からなる中空の外装ケース１０１と、外装ケース１０１の背面に着脱可能に装着されるバッテリー電源１０２と、外装ケース１０１の正面に配置される撮影レンズ１０３を有するレンズ装置と、ファインダやタッチ操作パネルの機能も兼ねる表示パネルの一具体例を示す液晶ディスプレイ１０４、バッテリー電源１０２からの電力の供給を受けてレンズ装置を動作させたり、液晶ディスプレイ１０４の表示の制御等を行う制御装置等を備えて構成されている。
【００１３】
外装ケース１０１の内部空間には、図示しないが、ＤＶカセットが着脱自在に装着されるカセットホルダ、このカセットホルダに装着されたＤＶカセットのテープ状記録媒体を走行させて情報信号の記録（書き込み）及び再生（読み出し）を行う記録再生装置、この記録再生装置の駆動制御等を行う制御装置その他の装置、機構が収納されている。外装ケース１０１の正面の撮影レンズ１０３の下部には、マイクロホン装置１０６が設けられており、背面のバッテリー電源１０２の上部には、電子ビューファインダ１０７が設けられている。更に、外装ケース１０１には、図示しないが、電源ボタン、モード切換ダイヤル、録画ボタン等の各種操作ボタンや、マイク端子、コントロール端子等の外部の機器と接続するための各種端子等が設けられている。
【００１４】
図１〜図６に示すように、本発明の防水ケースの第１の実施の例を示す防水ケース１は、デジタルビデオカメラ１００が出し入れ可能に収納されるケース本体２と、このケース本体２の開口部を開閉可能な蓋体３等を備えて構成されている。これらケース本体２及び蓋体３は、ポリカーボネイトやアクリル等の透明な樹脂により形成されており、内部に収納した撮像装置を外側から視認可能に構成されている。蓋体３はヒンジ手段によってケース本体２に回動可能に取り付けられている。なお、蓋体をケース本体２に対して着脱可能に構成し、クランプやゴムバンド等で固着する構成としてもよい。
【００１５】
防水ケース１のケース本体２は、内部にデジタルビデオカメラ１００を収納する装置本体収納部２ａが設けられた横長の筐体からなり、長手方向の一方の面を形成する正面部５ａと、正面から見て右側の側面を形成する右側面部５ｂと、左側の側面を形成する左側面部５ｃと、上面を形成する上面部５ｄと、底面を形成する底面部５ｅとから構成されている。ケース本体２の正面部５ａと反対側は、装置本体収納部２ａにデジタルビデオカメラ１００を出し入れするための開口部６とされていて、この開口部６は蓋部３によって開閉可能とされている。
【００１６】
図５及び図６等に示すように、ケース本体２の正面部５ａの上部には、円形に開口された撮像窓８が設けられている。この撮像窓８の周縁部には筒状のボス部８ａが形成されており、このボス部８ａにフロントリング１０が嵌合されて取り付けられている。フロントリング１０の内側にはカバーガラス１２が配置され、これにより、撮像窓８が封止されている。この際、フロントリング１０の外周に取り付けられた環状の外シール部材１４がケース本体２に液密に密着される。これと同様に、フロントリング１０の内周に取り付けられた環状の内シール部材１５がカバーガラス１２の正面に液密に密着される。これにより、撮像窓８から装置本体収納部２ａに水や水分が入り込むのを防止している。
【００１７】
図１に示すように、ケース本体２の正面部５ａに取り付けたフロントリング１０の下部には、防水マイク１６が設けられている。この防水マイク１６は、正面側に突出する防水カバー１７と、防水カバー１７によって液密状に覆われた図に表れないマイク本体とを備えている。防水マイク１６は、マイク本体に接続されたマイクコード１９（図３を参照）により、装置本体収納部２ａに収納されるデジタルビデオカメラ１００と電気的に接続されている。即ち、マイクコード１９は、マイク本体に接続されるコード１９ａと、コード１９ａのマイク本体と反対側の先端に設けられたマイク用プラグ１９ｂとからなり、そのマイク用プラグ１９ｂがデジタルビデオカメラ１００のマイク端子に接続される。これにより、防水マイク１６のマイク本体がデジタルビデオカメラ１００に電気的に接続され、防水マイク１６を介して水中や雪中等の環境下においても音を集音して、デジタルビデオカメラ１００に記録することができるようになっている。
【００１８】
ケース本体２の上面部５ｄには、装置本体収納部２ａに収納されたデジタルビデオカメラ１００の操作を行うための操作部２１が設けられている。この操作部２１には正面部５ａ側から順に、電源のオン・オフ等が実行される電源／モード切換ダイヤル２３と、デジタルビデオカメラ１００のレンズ装置をテレ（望遠）側に移動させるテレボタン２４と、レンズ装置をワイド（広角）側に移動させるワイドボタン２５と、静止画撮影を行う際に使用するシャッタボタン２６と、動画撮影の開始と終了を実行する録画ボタン２７等が設けられている。
【００１９】
操作部２１の電源／モード切換ダイヤル２３は、電源のオン・オフが切り換えられると共に、その電源のオン位置においてスライド操作することにより、撮影モード（例えば、静止画撮影、動画撮影、再生表示等）の切り換えが可能とされている。また、テレボタン２４とワイドボタン２５は、それぞれのボタンを押し続ける間だけ画面の拡大又は縮小が連続して実行され、それぞれの終端においてテレ側又はワイド側への移動が停止されるようになっている。
【００２０】
操作部２１の内部には、図示しないが、制御装置が設けられている。この制御装置は、電源／モード切換ダイヤル２３等の各操作ボタンの操作に応じて所定の電気信号を発信するようになっており、その電気信号がコントロールコード２９（図３を参照）を介してデジタルビデオカメラ１００に送信される。コントロールコード２９は、制御装置に接続されるコード２９ａと、コード２９ａの制御装置と反対側の先端に設けられたコントロール用プラグ２９ｂとからなり、そのコントロール用プラグ２９ｂがデジタルビデオカメラ１００のコントロール端子に接続される。これにより、操作部２１の制御装置がデジタルビデオカメラ１００に電気的に接続され、操作部２１の各操作ボタンによってデジタルビデオカメラ１００の操作を行うことができる。
【００２１】
図１に示すように、ケース本体２の左側面部５ｃの背面側中途部には、蓋体３を開口部６に圧着させて閉じた状態に固定するバックル３１が設けられている。このバックル３１は、ケース本体２の左側面部５ｃに設けられたヒンジ手段３６によって正面側の側部が回動自在に支持されている。バックル３１の正面には、蓋体３の固定を解除するロック解除ボタン３２が設けられている。更に、図３に示すように、バックル３１の裏面には、ロック解除ボタン３２に連動されるロック突部３３と、このロック突部３３の近傍に配置された係合突部３４とが設けられている。
【００２２】
バックル３１のロック突部３３は、縦長の直方体状をなしており、長手方向の一端に係合凹部３３ａが形成されている。このロック突部３３の係合凹部３３ａに、蓋体３の図示しないロック爪が係合されることにより、その蓋体３が閉じた状態で固定される。そして、バックル３１のロック解除ボタン３２を下方へスライドさせてロック突部３３を下方に移動させることにより、ロック突部３３の係合凹部３３ａから蓋体３のロック爪が外れ、蓋体３の固定が解除される。また、バックル３１の係合突部３４は、蓋体３を固定した状態において、その蓋体３の後述する係合片５３に係合され、これにより、蓋体３を開口部６側に圧着させている。
【００２３】
また、ケース本体２の左側面部５ｃの下部には、支持ベルト３６が取り付けられている。この支持ベルト３６は、防水ケース１を把持する際に手の甲部分に当接されて取り落とし等を防止するためのものである。支持ベルト３６は、その一端がケース本体２の左側面部５ｃの正面側下部に設けられたフック部３７に連結され、他端がバックル３１を回動可能に支持するヒンジ手段３６に固定されている。
【００２４】
図４等に示すように、ケース本体２の右側面部５ｂには、鏡扉４１が設けられている。この鏡扉４１は、デジタルビデオカメラ１００が収納された防水ケース１を使用するユーザーに、デジタルビデオカメラ１００の側面に設置された液晶ディスプレイ１０４に表示される映像や画像等を防水ケース１の後方から見えるようにするためのものである。鏡扉４１は、略長方形の板体からなる扉本体４２と、この扉本体４２の内面に取り付けられた鏡４３と、扉本体４２の内面の長手方向両端に連続する一対の支持羽根４４，４４から構成されている。鏡扉４１の扉本体４２は、ケース本体２の右側面部５ｂに設けられたヒンジ手段４６によって正面側の側部が回動可能に支持されている。
【００２５】
鏡扉４１の一対の支持羽根４４，４４は、それぞれ略三角形の薄板をなしており、扉本体４２に連続する基部が折り曲げ可能とされている。即ち、一対の支持羽根４４，４４は、鏡扉４１が閉められた状態では鏡４３側にそれぞれ折り曲げられて収納され、鏡扉４１が開かれた状態では扉本体４２の平面にそれぞれ略垂直な姿勢となるように開かれる。そして、開かれた各支持羽根４４，４４は、先端側の１辺がケース本体２の右側面部５ｂにそれぞれ係合され、これにより、鏡扉４１は、所定の角度（略４５度）に開かれた状態で固定される。
【００２６】
所定の角度に開かれて固定された鏡扉４１の鏡４３には、装置本体収納部２ａに収納されたデジタルビデオカメラ１００の予め外側に表示画面が向けられた液晶ディスプレイ１０４に表示される映像等が、透明なケース本体２の右側面部５ｂを通過して映される。この際、デジタルビデオカメラ１００は、防水ケース１の配線基板からコントロールコード２９を介して所定の信号を受信することで、液晶ディスプレイ１０４に表示する映像等を左右逆転して表示しているため、鏡扉４１の鏡４３に映された映像等を正常な映像として見ることができる。これにより、デジタルビデオカメラ１００を防水ケース１に収納して使用する場合であっても、デジタルビデオカメラ１００をそのまま使用する場合と同様に、液晶ディスプレイ１０４を見ながら撮影等の操作を行うことができる。
【００２７】
図２及び図３等に示すように、防水ケース１の蓋体３は、ケース本体２の開口部６に見合った略四角形の凹陥状をなしており、ケース本体２の開口部６を閉じた状態において防水ケース１の背面を形成している。この蓋体３は、ケース本体２の開口部６の縁部に設けられたヒンジ手段４８により左側面部５ｃ側の側部が回動可能に支持されている。
【００２８】
蓋体３のヒンジ手段４８と反対側の側部には、上下方向に延在された係合片５３が設けられている。この係合片５３には、蓋体３を閉じると共にケース本体２に設けたバックル３１を閉めた状態において、そのバックル３１の係合突起３４が係合される。これにより、蓋体３はケース本体２の開口部６に圧着され、蓋体３の周縁部に取り付けられた環状の蓋シール部材５５が全周に亘ってケース本体２の開口部６に液密に密着される。その結果、ケース本体２の開口部６から装置本体収納部２ａに水や水分が入り込むのを防止することができる。また、蓋体３の係合片５３の近傍には、図示しないロック爪が設けられており、このロック爪がバックル３１に設けたロック突部３３の係合凹部３３ａに係合され、蓋体３が閉じた状態で固定される。
【００２９】
図５等に示すように、ケース本体２の装置本体収納部２ａの下面には、デジタルビデオカメラ１００を載置して固定するための台座６１が設けられている。台座６１は、この実施例では、アルミ等の熱伝導率の高い材質によって形成されており、装置本体収納部２ａに固定される固定台６２と、この固定台６２に着脱自在に装着されると共にデジタルビデオカメラ１００が載置されて固定される可動台６３等から構成されている。
【００３０】
台座６１の固定台６２は、略長方形をなす平板状の台板６５と、この台板６５の３辺に連続して垂直に立ち上がるコ字状の側面片６６等を備えている。側面片６６の長手方向に延びる２辺には、互いに対向する面に案内溝６６ａ，６６ａ（図５において一方のみを示す）が設けられており、この案内溝６６ａ，６６ａには可動台６３の側面突条６３ａ，６３ａがそれぞれ係合される。更に、側面片６６の長手方向に延びる２辺の一方の辺には、可動台６３を固定するための切欠き６７が設けられている。この切欠き６７には、可動台６３の図示しない係合片が係合される。
【００３１】
台座６１の可動台６３は、略長方形をなす板体からなり、長手方向の両側面には側面突条６３ａ，６３ａが形成されている。これら側面突条６３ａ，６３ａは、可動台６３を固定台６２に装着する際に固定台６２の案内溝６６ａ，６６ａに案内されて摺動される。更に、可動台６３の略中央部には、表裏面を貫通するねじ貫通孔６９と、上面から略垂直に突出する位置決め突起７０が設けられている。この位置決め突起７０は、デジタルビデオカメラ１００の位置決めを行うために設けたものであり、可動台６３にデジタルビデオカメラ１００を取り付ける際に、そのデジタルビデオカメラ１００の底面に設けられた位置決め孔に嵌合される。
【００３２】
可動台６３のねじ貫通孔６９には、デジタルビデオカメラ１００を取り付けるための取付ねじ７２のねじ軸部７２ａが下面側から貫通される。即ち、貫通孔６９を貫通した取付ねじ７２のねじ軸部７２ａを、デジタルビデオカメラ１００の底面に設けられた三脚用ねじ孔に螺合することにより、可動台６３がデジタルビデオカメラ１００に取り付けられる。なお、図５において、可動台６３と取付ねじ７２とを別体にして示したが、抜け止め輪を用いて取付ねじ７２が可動台６３に回転自在に支持される構成としてもよく、そのように構成することで取付ねじ７２の紛失を防止することができる。更に、可動台６３の挿入側と反対側には、固定台６２の切欠き６７に対応する位置に、図示しない係合片が設けられており、この係合片を固定台６２の切欠き６７に係合することにより、可動台６３が固定台６２に固定される。
【００３３】
図５及び図６等に示すように、台座６１の可動台６３とデジタルビデオカメラ１００との間には、伝熱部材の一具体例を示す伝熱シート７５が介在されている。この伝熱シート７５は、例えば、シリコン系樹脂やセラミックス粒子等が含有された樹脂をシート状に形成したものであり、熱伝導性充填剤等を含有させて高い熱伝導性、絶縁性を有している。このような伝熱シート７５は、可動台６３の上面と略同等の大きさに設定されていると共に可動台６３のねじ貫通孔６９及び位置決め突起７０に対応した位置に逃げ孔が設けられており、接着剤等の固着手段によって可動台６３の上面に貼り付けられている。なお、この実施例においては、伝熱シート７５を可動台６３の上面に貼り付けて一体的に構成したが、伝熱シート７５は可動台６３に貼り付けることなく、単に載置して介在させるだけでもよい。
【００３４】
このような伝熱シートとしては、例えば、日東電工株式会社の「熱伝導性ＨＴシート」や株式会社フジクラの「クールシート」及び住友スリーエム株式会社の「フェイズチェンジ放熱部材Ｎｏ．５５００Ｍ」等を挙げることができる。しかしながら、本発明に係る伝熱部材としては、上述したような伝熱シートに限定されるものではなく、この種の高い伝熱性能を有する各種の部材を用いることができるものである。
【００３５】
また、台座６１の固定台６２と装置本体収納部２ａの下面（ケース本体２の底面部５ｅ）との間には、放熱手段の一具体例を示す放熱シート７６が介在されている。放熱シート７６は、供給された熱を遠赤外線に変換して放射する部材であり、その大きさは、固定台６２の底面と同程度に設定されている。この放熱シート７６により、台座部６１から伝達（供給）された熱が遠赤外線に変換され、透明なケース本体２の底面部５ｅを通って外部に放射（放熱）される。
【００３６】
放熱部材としては、例えば、沖電気株式会社の「セラックα」を挙げることができる。「セラックα」は、酸化ケイ素と酸化アルミニウムの化合物と水を、１対１の割合で混ぜた液状のセラミックを５０〜１００μｍの厚さで乾燥させたもので、電子部品等から発生する熱を遠赤外線に変えて放射する働きをなす。
【００３７】
上述したような構成を有する防水ケース１は、例えば、次のようにして装置本体収納部２ａにデジタルビデオカメラ１００を収納して液密状に密閉することができる。まず、図５に示すように、防水ケース１の可動台６３に、予め液晶ディスプレイ１０４を外側に向けたデジタルビデオカメラ１００を取り付ける。即ち、可動台６３の位置決め突起７０をデジタルビデオカメラ１００の底面の図示しない嵌合穴に嵌合させて位置決めを行うと共に、可動台６３の底面側から取付ねじ７２を挿通させ、デジタルビデオカメラ１００の底面の図示しない三脚用ねじ穴に取付ねじ７２のねじ軸部７２ａを螺合させる。このとき、可動台６３の上面には、予め伝熱シート７５が貼り付けられているため、この伝熱シート７５が可動台６３とデジタルビデオカメラ１００との間に介在されている。
【００３８】
次に、可動台６３に取り付けられたデジタルビデオカメラ１００のマイク端子及びコントロール端子に、防水ケース１に設けたマイクコード１９のマイク用プラグ１９ｂ及びコントロールコード２９のコントロール用プラグ２９ｂを接続する。これにより、ケース本体１に設けた防水マイク１６をデジタルビデオカメラ１００のマイクとして使用することができると共に、ケース本体１に設けた電源／モード切換ダイヤル２３等の各操作ボタンによってデジタルビデオカメラ１００の各操作を行うことができるようになる。
【００３９】
続いて、デジタルビデオカメラ１００が取り付けられた可動台６３を、装置本体収納部２ａに設けた固定台６２に装着する。即ち、固定台６２の各案内溝６６ａ，６６ａ内に可動台６３の各側面突条６３ａ，６３ａをそれぞれ挿入して、可動台６３の係合片が固定台６２の切欠き６７に係合するまで摺動させる。このとき、可動台６３の底面は、固定台６２の台板６５の上面に接触した状態となっている。
【００４０】
その後、防水ケース１の蓋体３を閉めると共にバックル３１によって蓋体３を固定する。このとき、蓋体３の蓋シール部材５５がケース本体２の開口部６に液密に密着されるため、デジタルビデオカメラ１００を収納した装置本体収納部２ａ内に水又は水分が入り込むのを防止することができる。これにより、防水ケース１の装置本体収納部２ａにデジタルビデオカメラ１００が収納され、その装置本体収納部２ａが液密状に密閉される。
【００４１】
このような構成を有する防水ケース１によれば、装置本体収納部２ａに収納したデジタルビデオカメラ１００の発熱を防水ケース１の外部に放熱することができる。デジタルビデオカメラ１００を使用して撮影を開始すると、メカデッキのモータが磁気テープ回転駆動すると共に、レンズ装置を透過して撮像素子（ＣＣＤ等）に到達した光により、撮像素子がその撮像を電気信号に変換して制御装置や表示装置に出力する。この際、モータや撮像素子等の駆動によって熱が発生し、その熱がデジタルビデオカメラ１００の外装ケース１０１に伝達される。
【００４２】
このようにして、デジタルビデオカメラ１００に発生した熱は、外装ケース１０１の底面から伝熱シート７５を介して台座６１の可動台６３及び固定台６２に伝達され、固定台６２から放熱シート７６に伝達される。そして、放熱シート７６によって遠赤外線に変換されて、透明な部材からなるケース本体２の底面部５ｅ側から外部に放熱される。これにより、防水ケース８１は、装置本体収納部２ａに収納したデジタルビデオカメラ１００の温度上昇を防止することができる。その結果、デジタルビデオカメラ１００は熱による影響を受ける心配がなく、その性能、機能等を充分に発揮することができる。
【００４３】
なお、この実施例においては、デジタルビデオカメラ１００を取り付けるための台座６１の固定台６２及び可動台６３の両方を熱伝導率の高い材質によって形成したが、本発明に係る台座としては、少なくとも一部を熱伝導率の高い材質によって形成し、デジタルビデオカメラ１００の発熱を放熱シート７６に伝えることができるものであればよい。例えば、可動台６３を固定台６２に装着した際に、可動台６３が放熱シート７６に直接接触するように構成してもよい。この場合、デジタルビデオカメラ１００からの熱を伝える伝熱経路の一部を省略することができ、伝熱効率を向上させることができる。
【００４４】
図７及び図８は、本発明の防水ケースの第２の実施の例を示すものである。この防水ケース８１が、第１の実施の例の防水ケース１と異なるところは、台座６１に伝達された熱をケース本体２から外部に放熱させる放熱手段である。この実施の例の構成のうち第１の実施の例の防水ケース１と共通する部分には、同一符号を付して詳細な説明は省略する。
【００４５】
防水ケース８１の放熱手段はヒートシンクであり、このヒートシンクは、ケース本体２の上面部５ｄに設けられた放熱部８２と、放熱部８２へ台座６１の熱を伝達するヒートパイプ８３等を備えて構成されている。防水ケース８１の放熱部８２は、アルミ等の熱伝導率の高い材質の板体の上面に、略垂直に突出する薄板状のフィンを多数設けて形成されており、このフィンから熱が放出されるようになっている。
【００４６】
防水ケース８１のヒートパイプ８３は、中空のパイプ状をなす容器の内側に毛細管構造を形成し、内部を真空にすると共に少量の揮発性の液体を充填して構成されており、内部の液体の蒸発及び凝縮を利用して一端から他端に熱を移動させるものである。このヒートパイプ８３の一端は台座６１の固定台６２に接続されており、他端はケース本体２の上面部５ｄを貫通してヒートシンク８２に接続されている。また、ヒートパイプ８３には、ケース本体２の上面部５ｄを貫通する部分の外周に環状のシール部材８５が取り付けられており、これにより、貫通穴から装置本体収納部２ａに水や水分が入り込むのを防止している。
【００４７】
このような構成を有する防水ケース８１によれば、装置本体収納部２ａに収納したデジタルビデオカメラ１００の発熱を防水ケース８１の外部に放熱することができる。第１の実施の例の場合と同様にデジタルビデオカメラ１００に発生した熱は、図８に示すように、デジタルビデオカメラ１００の底面から伝熱シート７５を介して台座６１の可動台６３及び固定台６２に伝達される。そして、固定台６２に伝達された熱は、ヒートパイプ８３によってケース本体２の上面部５ｄに設けた放熱部８２に伝達され、その上面のフィンから放熱される。これにより、防水ケース８１は、装置本体収納部２ａに収納したデジタルビデオカメラ１００の温度上昇を防止することができる。その結果、デジタルビデオカメラ１００は熱による影響を受ける心配がなく、その性能、機能等を充分に発揮することができる。
【００４８】
なお、この実施例では、ヒートパイプ８３を台座６１の固定台６２に接続し、デジタルビデオカメラ１００からの熱を放熱部８２へ伝達する構成としたが、例えば、可動台６３を固定台６２に装着した際に、ヒートパイプ８３が可動台６３に接続される構成としてもよく、ヒートパイプを撮像装置の底面の位置決め孔等に直接接続する構成としてもよい。これら場合、デジタルビデオカメラ１００からの熱を伝える伝熱経路の一部を省略することができ、伝熱効率を向上させることができる。
【００４９】
また、この実施例では、放熱部８２をケース本体２の上面部５ｄに設ける構成としたが、本発明に係る放熱部の位置としては、これに限定されるものではなく、放熱部をケース本体の側面部や底面部に設ける構成とすることができるものである。
【００５０】
図９及び図１０は、本発明の防水ケースの第３の実施の例を示すものである。この防水ケース９１が、第１の実施の例の防水ケース１と異なるところは、第２の実施の例の防水ケース８１と同様に、台座６１に伝達された熱をケース本体２から外部に放熱させる放熱手段である。この実施の例の構成のうち第１の実施の例の防水ケース１と共通する部分には、同一符号を付して詳細な説明は省略する。
【００５１】
防水ケース９１の放熱手段は、ケース本体２に設けた撮像窓８の前方に配置される放熱部材の一具体例を示すフロントリング９２と、このフロントリング９２が嵌合される伝熱部材の一具体例を示す連結プレート９３等を備えて構成されている。これらフロントリング９２及び連結プレート９３は、アルミ等の熱伝導率の高い材質により形成されている。フロントリング９２は筒体をなしており、その内側にはカバーガラス１２が配置されている。更に、フロントリング９２の内面には、軸方向の一端から中途部にかけてねじ部が設けられている。
【００５２】
連結プレート９３は、固定台６２の側面片６６に連続して上方に延在される立上り部９５と、この立上り部９５に連続すると共にケース本体２の撮像窓８に嵌合されるリングホルダ９６とからなっている。リングホルダ９６は筒体をなしており、その外径がフロントリング９２の内径よりも少々小さく設定されている。このリングホルダ９６の外周には、ねじ部が設けられていて、このねじ部にフロントリング９２のねじ部を螺号することにより、リングホルダ９６にフロントリング９２が密着されて固定されている。
【００５３】
このような構成を有する防水ケース９１によれば、装置本体収納部２ａに収納したデジタルビデオカメラ１００の発熱を防水ケース９１の外部に放熱することができる。第１の実施の例の場合と同様にデジタルビデオカメラ１００に発生した熱は、図１０に示すように、デジタルビデオカメラ１００の底面から伝熱シート７５を介して台座６１の可動台６３及び固定台６２に伝達される。そして、固定台６２に伝達された熱は、連結プレート９３によって撮像窓８の前方に配置したフロントリング９２に伝達され、フロントリング９２の外面から放熱される。これにより、防水ケース９１は、装置本体収納部２ａに収納したデジタルビデオカメラ１００の温度上昇を防止することができる。その結果、デジタルビデオカメラ１００は熱による影響を受ける心配がなく、その性能、機能等を充分に発揮することができる。
【００５４】
更に、デジタルビデオカメラ１００の発熱を防水ケース９１の外部へ放熱する際に、フロントリング９２及び連結プレート９３によってカバーガラス１２が暖められるため、周囲の温度変化等によってカバーガラス１２の表面に細かい水滴が付着する、いわゆる曇り現象を防止することができる。その結果、カバーガラス１２に曇り止め剤等を塗布する必要がなく、防水ケース９１を使用する際の煩わしい作業を削減することができると共に、曇り止め剤等を用意する費用を削減することができる。
【００５５】
本発明は、前述しかつ図面に示した実施の形態に限定されるものではなく、その要旨を逸脱しない範囲内で種々の変形実施が可能である。例えば、前記実施例においては、撮像装置としてデジタルビデオカメラを適用した例について説明したが、その他のアナログビデオカメラは勿論のこと、ディスク式デジタルビデオカメラ、デジタルスチルカメラ、スチルカメラその他の撮像装置にも適用できるものである。
【図面の簡単な説明】
【００５６】
【図１】本発明の防水ケースの第１の実施の例を示すもので、正面側から見た斜視図である。
【図２】図１に示す防水ケースを背面側から見た斜視図である。
【図３】図１に示す防水ケースの蓋体を開いた状態を背面側から見た斜視図である。
【図４】図１に示す防水ケースの開閉鏡を開いた状態を背面側から見た斜視図である。
【図５】図１に示す防水ケースを縦に断面して放熱手段を表した説明図である。
【図６】図１に示す防水ケースに収納された撮像装置の発熱をケース本体の外部に放出するまでの熱の移動を表す説明図である。
【図７】本発明の防水ケースの第２の実施の例を示すもので、縦に断面して放熱手段を表した説明図である。
【図８】図７に示す防水ケースに収納された撮像装置の発熱をケース本体の外部に放出するまでの熱の移動を表す説明図である。
【図９】本発明の防水ケースの第３の実施の例を示すもので、縦に断面して放熱手段を表した説明図である。
【図１０】図９に示す防水ケースに収納された撮像装置の発熱をケース本体の外部に放出するまでの熱の移動を表す説明図である。
【符号の説明】
【００５７】
１，８１，９１…防水ケース、  ２…ケース本体、  ２ａ…装置本体収納部、  ３…蓋体、  ６…開口部、  ８…撮像窓、  １０…フロントリング、  １２…カバーガラス、  ６１…台座、  ６２…固定台、  ６３…可動台、  ７５…伝熱シート、  ７６…放熱シート（放熱手段）、  ８２…放熱部、  ８３…ヒートパイプ、  ９２…フロントリング（放熱部材）、  ９３…連結プレート（伝熱部材）、  ９５…立上り部、  ９６…リングホルダ、  １００…デジタルビデオカメラ（撮像装置）
【図１】
2007086676.tif 000003
【図２】
2007086676.tif 000004
【図３】
2007086676.tif 000005
【図４】
2007086676.tif 000006
【図５】
2007086676.tif 000007
【図６】
2007086676.tif 000008
【図７】
2007086676.tif 000009
【図８】
2007086676.tif 000010
【図９】
2007086676.tif 000011
【図１０】
2007086676.tif 000012